(57)【要約】  【課題】  真空断熱材を有して変形を容易に防止できる断熱扉及びそれを用いた貯蔵庫を提供する。  【解決手段】  貯蔵庫の前面を開閉する断熱扉１２において、貯蔵庫の内面に面して配されるとともに樹脂成形品から成る内板成型品２２と、貯蔵庫の外面に面して配されるとともに内板成型品２２に対峙する外板成型品２３と、内板成型品２２の裏面に固着される真空断熱材２４と、内板成型品２２と外板成型品２３との間に充填される発泡断熱材２６とを備え、真空断熱材２４は芯材２４ｂを内包する外装材２４ａの端部を密着した密着部２４ｃにより密閉して成り、密着部２４ｃを内板成型品２２側に折り返して粘着テープ２７により密着部２４ｃの開放端を長手方向の両側端に亙って外装材２４ａに貼着するとともに、密着部２４ｃの側方の内板成型品２２に排気孔２２ｃを設けた。【選択図】      図５
2007071435.tif 000002
【特許請求の範囲】
【請求項１】
貯蔵庫の前面を開閉する断熱扉において、前記貯蔵庫の内面に面して配されるとともに樹脂成形品から成る内板成型品と、前記貯蔵庫の外面に面して配されるとともに前記内板成型品に対峙する外板成型品と、前記内板成型品の裏面に固着される真空断熱材と、前記内板成型品と前記外板成型品との間に充填される発泡断熱材とを備え、前記真空断熱材は芯材を内包する外装材の端部を密着した密着部により密閉して成り、前記密着部を前記内板成型品側に折り返して前記密着部の開放端を粘着テープにより前記外装材に貼着するとともに、前記密着部の近傍の前記内板成型品に排気孔を設けたことを特徴とする断熱扉。
【請求項２】
前記開放端の長手方向の両側端に亙って前記粘着テープを貼着し、前記密着部の側方に前記排気孔を設けたことを特徴とする請求項１に記載の断熱扉。
【請求項３】
請求項１または請求項２に記載の断熱扉を備えたことを特徴とする貯蔵庫。
【発明の詳細な説明】
【技術分野】
【０００１】
本発明は、真空断熱材を有する断熱扉及びそれを用いた貯蔵庫に関する。
【背景技術】
【０００２】
冷蔵庫等の貯蔵庫の開口部を開閉する従来の断熱扉は特許文献１に開示されている。この断熱扉は内部に真空断熱材が配されるとともに、発泡ウレタン等の発泡断熱材が充填されている。真空断熱材は袋状の外装材内にガラス繊維等の芯材を内包し、外装材は内部を真空に維持して端部を密着した密着部により密閉されている。これにより、断熱扉が高い断熱効果を得ることができる。
【０００３】
上記の断熱扉によると、発泡断熱材が発泡する際に開放端が支持されていない密着部により流動が妨げられ、発泡断熱材が充填されない空間部が生じる。このため、密着部の開放端を固定した断熱扉が知られている。図９はこの断熱扉の概略を示す横断面図である。また、図１０は図９のＢ−Ｂ断面図を示しており、図１１は真空断熱材の平面図を示している。
【０００４】
断熱扉１１は貯蔵庫の外面に面した外板成型品２３と内面に面した内板成型品２２とが対向配置される。内板成型品２２の裏面には真空断熱材２４が両面粘着テープ２５により固着され、外板成型品２３と内板成型品２２との間には真空断熱材２４に接して発泡断熱材２６が充填されている。内板成型品２２は貯蔵庫側に突出した突出部２２ａを有し、空気や発泡断熱材２６の発泡時に発生するガスを排気する排気孔２２ｂが突出部２２ａの先端に設けられる。
【０００５】
真空断熱材２４は外装材２４ａの一端が密着部２４ｃで密着され、密着部２４ｃは内板成型品２２側に折り返されて所定間隔で配される粘着テープ７により開放端が外装材２４ａに貼着されている。これにより、密着部２４ｃによって発泡断熱材２６の流動が妨げられることを防止できるようになっている。
【特許文献１】特開２００５−１６７７６号公報（第３頁−第４頁、第１図）
【発明の開示】
【発明が解決しようとする課題】
【０００６】
しかしながら、上記従来の断熱扉１１によると、隣接する粘着テープ７間には折り返された密着部２４ｃの開放端と外装材２４ａとの隙間２４ｄが形成される。密着部２４ｃと外装材２４ａとの間の空気や、密着部２４ｃと外装材２４ａとの間に侵入した発泡断熱材２６によるガスは隙間２４ｄから矢印Ｄ（図９参照）に示すように外装材２４ａ上に流出する。
【０００７】
また、密着部２４ｃの側方の開口２４ｅからも密着部２４ｃと外装材２４ａとの間の空気やガスが流出する。このため、密着部２４ｃと内板成型品２２との間には空間部２８が以前として形成される。その結果、発泡断熱材２６の発泡時の熱によって、内板成型品２２が軟化するとともに空間部２８の空気やガスが膨張し、内板成型品２２の変形が生じる問題があった。
【０００８】
本発明は、真空断熱材を有して変形を容易に防止できる断熱扉及びそれを用いた貯蔵庫を提供することを目的とする。
【課題を解決するための手段】
【０００９】
上記目的を達成するために本発明は、貯蔵庫の前面を開閉する断熱扉において、前記貯蔵庫の内面に面して配されるとともに樹脂成形品から成る内板成型品と、前記貯蔵庫の外面に面して配されるとともに前記内板成型品に対峙する外板成型品と、前記内板成型品の裏面に固着される真空断熱材と、前記内板成型品と前記外板成型品との間に充填される発泡断熱材とを備え、前記真空断熱材は芯材を内包する外装材の端部を密着した密着部により密閉して成り、前記密着部を前記内板成型品側に折り返して前記密着部の開放端を粘着テープにより前記外装材に貼着するとともに、前記密着部の近傍の前記内板成型品に排気孔を設けたことを特徴としている。
【００１０】
この構成によると、発泡断熱材は内板成型品の裏面に固着される真空断熱材に接して内板成型品と外板成型品との間に充填される。真空断熱材の外装材の端部を密着した密着部は折り返されて粘着テープにより開放端が外装材に貼着される。密着部と外装材との間の空気や、密着部と外装材との間に侵入した発泡断熱材から発生するガスは、粘着テープ間に形成される密着部の開放端と外装材との隙間や、密着部の側方に形成される開口から外装材上に流出し、密着部近傍の排気孔から排気される。
【００１１】
また本発明は、上記構成の断熱扉において、前記開放端の長手方向の両側端に亙って前記粘着テープを貼着し、前記密着部の側方に前記排気孔を設けたことを特徴としている。この構成によると、密着部の開放端と外装材との間が粘着テープにより塞がれる。
【００１２】
また本発明の貯蔵庫は上記各構成の断熱扉を備えたことを特徴としている。
【発明の効果】
【００１３】
本発明によると、密着部の近傍の内板成型品に排気孔を設けたので、密着部と外装材との間の空気や発泡時のガスが排気孔から排気される。これにより、密着部と内板成型品との間の空間部の発生が防止されるため、内板成型品の裏面が発泡断熱材により支持される。従って、発泡断熱材の発泡時の熱による内板成型品の変形を防止することができる。
【００１４】
また本発明によると、密着部の開放端の長手方向の両側端に亙って粘着テープを貼着し、密着部の側方の内板成型品に排気孔を設けたので、密着部の開放端と外装材との隙間が塞がれ、密着部と外装材との間の空気や発泡時のガスが密着部の側方の開口のみから流出する。従って、密着部の側方の排気孔から容易に空気やガスを排気することができ、内板成型品の変形をより確実に防止することができる。
【発明を実施するための最良の形態】
【００１５】
以下に本発明の実施形態を図面を参照して説明する。以下の図面において、説明の便宜上、前述の図９〜図１１に示す従来例と同一の部分は同一の符号を付している。図１、図２は一実施形態の冷蔵庫を示す正面図及び側面図である。冷蔵庫１は、上段に冷蔵室２が配され、中段に温度切替室３及び製氷室４が配される。冷蔵庫１の下段には野菜室５及び冷凍室６が配されている。
【００１６】
冷蔵室２は観音開きの断熱扉１２を有し、貯蔵物を冷蔵保存する。温度切替室３は中段左側に配されて回動式の断熱扉１３により開閉され、使用者により室温を切り替えられる。製氷室４は中段右側に配されて回動式の断熱扉１４により開閉され、製氷を行う。野菜室５は下段左側に配されて回動式の断熱扉１５により開閉され、野菜の貯蔵に適した温度（約８℃）に維持される。冷凍室６は下段右側に配されて回動式の断熱扉１６により開閉され、製氷室４に連通して貯蔵物を冷凍保存する。
【００１７】
図３は冷蔵室２側から見た断熱扉１２を示す斜視図である。尚、断熱扉１３〜１６は断熱扉１２と同様に構成されている。断熱扉１２は冷蔵庫１の外面に面した外板成型品２３と冷蔵室２側に面した内板成型品２２とが対向配置される。外板成型品２３は金属材料をプレス加工して成り、内板成型品２２は樹脂成形品から成る。内板成型品２２には冷蔵室２側に突出する突出部２２ａが設けられ、内板成型品２２の外板成型品２３に対向した裏面には真空断熱材２４が配される。
【００１８】
図４は内板成型品２２を裏面から見た斜視図である。また、図５は断熱扉１２を示す横断面図である。内板成型品２２の裏面には真空断熱材２４が両面粘着テープ２５により固着され、外板成型品２３と内板成型品２２との間には真空断熱材２４に接して発泡断熱材２６が充填されている。内板成型品２２の突出部２２ａの先端には、空気や発泡断熱材２６の発泡時に発生するガスを排気する排気孔２２ｂが設けられる。
【００１９】
図６は図５のＡ−Ａ断面図を示しており、図７は真空断熱材２４の平面図を示している。真空断熱材２４は袋状の外装材２４ａ内にガラス繊維等の芯材２４ｂを内包し、外装材２４ａは内部を真空に維持して端部を密着した密着部２４ｃにより密閉されている。密着部２４ｃは内板成型品２２側に折り返され、粘着テープ２７により開放端が長手方向の両側端に亙って外装材２４ａに貼着されている。
【００２０】
また、密着部２４ｃの側方の内板成型品２２には、空気や発泡断熱材２６の発泡時に発生するガスを排気する排気孔２２ｃ（図５参照）が設けられる。
【００２１】
図８は断熱扉１２の製造方法を示す斜視図である。外板成型品２３は下金型（不図示）に設置され、真空断熱材２４が固着された内板成型品２２が上金型（不図示）に設置される。外板成型品２３上にはウレタン注入設備（不図示）からウレタン混合液３０が注入され、上金型と下金型とが合わされる。そして、ウレタン混合液３０を加熱して発泡し、外板成型品２３と内板成型品２２との間に発泡ウレタンから成る発泡断熱材２６（図５参照）が充填される。従って、真空断熱材２４及び発泡断熱材２６により高い断熱効果を得ることができる。
【００２２】
本実施形態によると、密着部２４ｃの側方の内板成型品２２に排気孔２２ｃを設けたので、密着部２４ｃと外装材２４ａとの間の空気や、密着部２４ｃと外装材２４ａとの間に侵入した発泡断熱材２６によるガスは、密着部２４ｃの側方の排気孔２２ｃから排気される。これにより、密着部２４ｃと内板成型品２２との間の空間部２８（図１０参照）の発生が防止されるため、内板成型品２２の裏面全体が発泡断熱材２６により支持される。従って、発泡断熱材２６の発泡時の熱による内板成型品２２の変形を防止することができる。
【００２３】
尚、排気孔２２ｃを密着部２４ｃの近傍に設けてもよい。しかしながら、密着部２４ｃの開放端の長手方向の両側端に亙って粘着テープ２７を貼着して排気孔２２ｃを密着部２４ｃの側方に設けると、より確実に空間部２８（図１０参照）の発生を防止することができる。即ち、密着部２４ｃの開放端と外装材２４ａとの隙間が粘着テープ２７により塞がれ、密着部２４ｃと外装材２４ａとの間の空気や発泡時のガスが密着部２４ｃの側方の開口２４ｅのみから流出する。従って、密着部２４ｃの側方の排気孔２２ｃから容易に空気やガスを排気することができ、内板成型品２２の変形をより確実に防止することができる。
【００２４】
本実施形態において、冷蔵庫１の断熱扉について説明しているが、冷凍庫や保温庫等の他の貯蔵庫を開閉する断熱扉であってもよい。
【産業上の利用可能性】
【００２５】
本発明によると、冷蔵庫、冷凍庫、保温庫等の貯蔵庫に利用することができる。
【図面の簡単な説明】
【００２６】
【図１】本発明の実施形態の冷蔵庫を示す正面図
【図２】本発明の実施形態の冷蔵庫を示す側面図
【図３】本発明の実施形態の冷蔵庫の断熱扉を示す正面図
【図４】本発明の実施形態の冷蔵庫の断熱扉の内板成型品の裏面を示す斜視図
【図５】本発明の実施形態の冷蔵庫の断熱扉を示す横断面図
【図６】図５のＡ−Ａ断面図
【図７】本発明の実施形態の冷蔵庫の断熱扉の真空断熱材を示す平面図
【図８】本発明の実施形態の冷蔵庫の断熱扉の製造方法を示す斜視図
【図９】従来の冷蔵庫の断熱扉を示す横断面図
【図１０】図９のＢ−Ｂ断面図
【図１１】従来の冷蔵庫の断熱扉の真空断熱材を示す平面図
【符号の説明】
【００２７】
１    冷蔵庫
２    冷蔵室
３    温度切替室
４    製氷室
５    野菜室
６    冷凍室
１１〜１６  断熱扉
２２    内板成型品
２２ｂ、２２ｃ  排気孔
２３    外板成型品
２４    真空断熱材
２４ａ  外装材
２４ｂ  芯材
２４ｃ  密着部
２５    両面粘着テープ
２６    発泡断熱材
２７    粘着テープ
【図１】
2007071435.tif 000003
【図２】
2007071435.tif 000004
【図３】
2007071435.tif 000005
【図４】
2007071435.tif 000006
【図５】
2007071435.tif 000007
【図６】
2007071435.tif 000008
【図７】
2007071435.tif 000009
【図８】
2007071435.tif 000010
【図９】
2007071435.tif 000011
【図１０】
2007071435.tif 000012
【図１１】
2007071435.tif 000013